(57)【要約】【課題】使用に十分な剛性を有するとともに高い抗菌力や洗浄力を有し、優れた耐久性や耐熱性を備えた合成高分子繊維を利用した歯ブラシを提供する。【解決手段】複数の房４に分けられたブラシ毛３が各房４ごとに柄１に植毛されてなる歯ブラシ１０である。ブラシ毛３は、高分子繊維からなり根元から先端に向かって細くなる先細毛５と、先細毛５よりも短く、遠赤外線を放出し水分子を活性化する機能性セラミックスを０．０１〜０．５重量％、トルマリンを０．１重量％〜１．７重量％、ハイドロキシアパタイトを０．０５重量％〜０．５重量％含有する高分子繊維からなる短毛６とが、各房４内でほぼ均一に混合した状態で柄１に植毛されている。優れた洗浄力や抗菌力、歯のエナメル質の補修能力、血行促進効果を有する。【選択図】　　　図２
0003097882.tif 000002
【実用新案登録請求の範囲】
【請求項１】
複数の房に分けられたブラシ毛が各房ごとに柄に植毛されてなる歯ブラシであって、
前記ブラシ毛は、高分子繊維からなり根元から先端に向かって細くなる先細毛と、前記先細毛よりも短い短毛とが、各房内でほぼ均一に混合した状態で柄に植毛されていることを特徴とする歯ブラシ。
【請求項２】
前記短毛は、遠赤外線を放出し水分子を活性化する機能性セラミックスを０．０１〜０．５重量％、トルマリンを０．１重量％〜１．７重量％、ハイドロキシアパタイトを０．０５重量％〜０．５重量％含有する高分子繊維からなることを特徴とする請求項１に記載の歯ブラシ。
【請求項３】
前記機能性セラミックスは、珪素を主成分とする鉱物を酸性水溶液に溶解させ、この溶液を中和後、乾燥させて得られる粉末に対し水を加えて泥状にした泥状物を、温度３４０Ｋ、圧力４ＭＰａで数時間〜数十時間循環処理し、その後、乾燥させて得られることを特徴とする請求項２に記載の歯ブラシ。
【請求項４】
前記トルマリンは粒径０．５〜１．５ミクロン程度の粉末であることを特徴とする請求項１〜３のいずれか一項に記載の歯ブラシ。
【請求項５】
前記先細毛は長さ１０〜１９ｍｍ、根元の太さが直径０．０５〜０．３ｍｍであり、短毛は長さ８〜１５ｍｍ、直径０．０５〜０．３ｍｍであり、前記ブラシ毛の柄への埋め込み深さは１〜３ｍｍであることを特徴とする請求項１〜４のいずれか一項に記載の歯ブラシ。
【請求項６】
前記ブラシ毛中の前記短毛の重量比は１：１であることを特徴とする請求項１〜５のいずれか一項に記載の歯ブラシ。
【考案の詳細な説明】
【０００１】
【考案の属する技術分野】
本考案は、無機粉末を含有する合成高分子繊維をブラシ毛として用いる歯ブラシに関する。
【０００２】
【従来の技術】
近年、ナイロンなどの合成高分子繊維を用いた歯ブラシにおいては、無機化合物の粉末や有機系の抗菌剤などを混合することによって、抗菌力や洗浄力といった各種機能が付与されたものが多く開発されている。
【０００３】
【考案が解決しようとする課題】
しかしながら、無機化合物の粉末等を混合する場合には、入れすぎると繊維の剛性が低下し、いわゆる「こし」が弱くなってしまう。よって、歯ブラシに用いる場合には、適度な弾性を保つように、無機化合物の含有量を制限せざるを得ないので、抗菌力も必ずしも十分なものとは言えなかった。
また、有機系の抗菌剤は、長時間使用していると、抗菌効果が低下し、また熱に弱く熱湯消毒すると抗菌効果が低下してしまうなど、耐久性や耐熱性に問題があった。
【０００４】
本考案の課題は、使用に十分な剛性を有するとともに高い抗菌力や洗浄力を有し、しかも、優れた耐久性や耐熱性を備えた合成高分子繊維を利用した歯ブラシを提供することである。
【０００５】
【課題を解決するための手段】
以上の課題を解決するため、請求項１に記載の考案は、複数の房４に分けられたブラシ毛３が各房４ごとに柄１に植毛されてなる歯ブラシ１０であって、前記ブラシ毛３は、高分子繊維からなり根元から先端に向かって細くなる先細毛５と、前記先細毛５よりも短い短毛６とが、各房４内でほぼ均一に混合した状態で柄１に植毛されていることを特徴とする。
【０００６】
請求項２に記載の考案は、請求項１に記載の歯ブラシ１０であって、前記短毛６は、遠赤外線を放出し水分子を活性化する機能性セラミックスを０．０１〜０．５重量％、トルマリンを０．１重量％〜１．７重量％、ハイドロキシアパタイトを０．０５重量％〜０．５重量％含有する高分子繊維からなることを特徴とする。
【０００７】
請求項３に記載の考案は、請求項２に記載の歯ブラシ１０であって、前記機能性セラミックスは、珪素を主成分とする鉱物を酸性水溶液に溶解させ、この溶液を中和後、乾燥させて得られる粉末に対し水を加えて泥状にした泥状物を、温度３４０Ｋ、圧力４ＭＰａで数時間〜数十時間循環処理し、その後、乾燥させて得られることを特徴とする。
【０００８】
請求項４に記載の考案は、請求項１〜３のいずれか一項に記載の歯ブラシ１０であって、前記トルマリンは粒径０．５〜１．５ミクロン程度の粉末であることを特徴とする。
【０００９】
請求項５に記載の考案は、請求項１〜４のいずれか一項に記載の歯ブラシ１０であって、前記短毛６は長さ８〜１５ｍｍ、直径０．０５〜０．３ｍｍであり、前記先細毛５は、長さ１０〜１９ｍｍ、根元の太さが直径０．０５〜０．３ｍｍであり、前記ブラシ毛３の柄１への埋め込み深さは１〜３ｍｍであることを特徴とする。
【００１０】
請求項６に記載の考案は、請求項１〜５のいずれか一項に記載の歯ブラシ１０であって、前記ブラシ毛３中の前記短毛６の重量比は１：１であることを特徴とする。
【００１１】
本考案によれば、長い先細毛５の先端が歯間や歯と歯肉との間に入り込み、歯垢を除去することができる。また短毛６により歯や歯肉の表面をこすり、歯の表面から歯垢を除去するとともに、歯肉を刺激して引き締めることができる。また、各房４内で先細毛５と短毛６とがほぼ均一に混合しているため、歯や歯肉にほぼ均一に力を加えることができる。
【００１２】
また、ブラシ毛３のうち短毛６は、上述した特殊な方法で得られた機能性セラミックスやトルマリン、ハイドロキアパタイトを含有していることから、遠赤外線を放出し、水を活性化し、アルカリイオンを発生させ、優れた洗浄力や抗菌力、歯のエナメル質の補修能力、血行促進効果を有する。その上、機能性セラミックス、トルマリン、ハイドロキシアパタイトは無機粉末であることから、経時的な変化が少なく、長期間これらの効果が持続し、熱を加えてもこれら効果が低下することがほとんどない。
【００１３】
【考案の実施の形態】
以下に、本考案の実施の形態例について詳細に述べる。図１は本考案の歯ブラシ１０の形態例を示す斜視図であり、図２は側面図、図３は平面図である。
歯ブラシ１０は、プラスチック製の柄１の一端のブラシ台２にブラシ毛３が植毛されている。
ブラシ毛３は、ほぼ均一に混合された先細毛５と短毛６とが、複数の房４に分けられ、各房４ごとにまとめられてその根元部分をブラシ台２に埋め込まれている。先細毛５と短毛６とは、図４に示すように、各房４ごとにほぼ均一に混合されている。
【００１４】
先細毛５は、短毛６よりも約２〜４ｍｍ長く、根元から先端に向かって細くなっている。その長さは約１０〜１９ｍｍであり、根元の太さは直径約０．０５〜０．３ｍｍである。そのブラシ台２への埋め込み深さは約１〜３ｍｍであり、ブラシ台２から突出する部分の長さは約９〜１６ｍｍである。
先細毛５としては、ナイロン等のポリアミド繊維に代表される合成高分子繊維を用いることができ、例えば東レ先細２８（東レ株式会社製）等を用いることができる。
【００１５】
短毛６は、根元から先端まで同じ太さであり、先細毛５の長さよりも短い。その長さは約８〜１５ｍｍであり、根元の太さは直径約０．０５〜０．３ｍｍである。そのブラシ台２への埋め込み深さは約１〜３ｍｍであり、ブラシ台２から突出する部分の長さは約７〜１４ｍｍである。
短毛６としては、ナイロン等のポリアミド繊維に代表される合成高分子繊維に、機能性セラミックス、トルマリン、及びハイドロキシアパタイトを配合したものを用いる。
【００１６】
機能性セラミックスは、遠赤外線を放出し水分子を活性化するものである。
本考案で用いる機能性セラミックスの原料としては、珪素を主成分とし、アルミニウム、マグネシウム、マンガン等を含有する鉱物を用いることができる。具体的には、珪酸鉱物や珪酸塩鉱物、特に輝石岩を好適に用いることができる。
【００１７】
本考案で用いる機能性セラミックスの製法は、以下のとおりである。まず上記鉱物を粉砕して平均粒径１０ミクロン程度の粉体を得る。得られた粉末状の鉱物に対して、３倍の重量の硫酸水溶液（３０％濃度）を加えて溶かし、攪拌する。その後、液体部分のみを取り出し、その液体に対し苛性ソーダ（水酸化ナトリウム水溶液）を加え、中和する。得られた中和液をスプレードライ法により乾燥させ、中間粉末物を得る。
【００１８】
この中間粉末物に水を加えて泥状にし、温度約３４０Ｋ、圧力約４ＭＰａで数時間〜数十時間循環処理する。ここで、循環処理とは、複数の管からなる循環経路内で、泥状物を循環させ、中間粉末物に付活化する処理である。
循環処理の終了した泥状物を乾燥させることにより本考案で使用する機能性セラミックスが得られる。
【００１９】
なお本考案で用いる機能性セラミックスとしては、これに限らず、遠赤外線を放出し水分子を活性化するものであれば、任意のものを使用することができる。上記機能性セラミックスは、短毛に用いる合成高分子繊維中に０．０１〜０．５重量％混合される。
【００２０】
トルマリンは、ＳｉＯ２、Ａｌ２Ｏ３、Ｂ２Ｏ３、Ｆｅ２Ｏ３、ＣａＯ、Ｎａ２Ｏ、Ｋ２Ｏを主成分とする鉱石であり、水を活性化し、アルカリイオンを発生させ、強い洗浄力を有することが知られている。また、遠赤外線の放射による、血行促進の効果も、認められている。
【００２１】
本考案ではトルマリンを粉末状にして利用する。粉末の粒径は、０．５〜１．５ミクロン程度であることが好ましい。粉末状にされたトルマリンは、合成高分子繊維中に０．１重量％〜１．７重量％混合される。
【００２２】
ハイドロキシアパタイトは（Ｃａ１０（ＰＯ４）６（ＯＨ）２）の化学式で表される。特に歯科用に注目されている無機物で、洗浄効果により歯垢を落とし、抗菌作用により虫歯等を防ぎ、さらに歯のエナメル質の補修機能も兼ね備えたものである。
ハイドロキシアパタイトの含有量は、合成高分子繊維中に０．０５重量％〜０．５重量％混合される。
【００２３】
上記合成高分子繊維は、ポリアミド、ポリエステル、ポリプロピレン等の合成樹脂原料に対して、上記の機能性セラミックス、トルマリン、ハイドロキシアパタイト等の無機粉末を混合したものを、紡糸機にかけて、紡糸して、製造することができる。
【００２４】
この場合、合成高分子繊維の太さは、任意に調節可能であり、機能性セラミックス、トルマリン、及びハイドロキシアパタイトが比較的大きい粒径（１μｍ程度）を有するときは、直径０．５ｍｍ程度の太さにすればよいし、より小さい粒径の無機粉末を用いる場合には直径０．０５ｍｍ程度の太さにすればよい。
【００２５】
上記のように製造した糸状の合成高分子繊維を、織らずに任意の太さに切断し、短毛６を得る。短毛６と先細毛５とはその重量比が約１：１となるようにほぼ均一に混合し、ブラシ毛３とする。
各房内での先細毛５と短毛６とをほぼ均一に混合することは機械では困難であり、手作業で混合する。ほぼ均一に混合されたブラシ毛３は、機械にセットされ、複数の房４に分けてプラスチック製の柄１のブラシ台２に植毛される。１本の歯ブラシ１０に対して先細毛５が約０．５ｇ、短毛６が約０．５ｇであり、ブラシ毛３はその合計約１ｇである。以上のようにして、歯ブラシ１０を製造することができる。
【００２６】
本考案の歯ブラシ１０によれば、長い先細毛５の先端が歯間や歯と歯肉との間に入り込み、歯垢を除去することができる。また短毛６により歯や歯肉の表面をこすり、歯の表面から歯垢を除去するとともに、歯肉を刺激して引き締めることができる。また、各房４内で先細毛５と短毛６とがほぼ均一に混合しているため、歯や歯肉にほぼ均一に力を加えることができる。
【００２７】
また、ブラシ毛３のうち短毛６は、上述した特殊な方法で得られた機能性セラミックスやトルマリン、ハイドロキアパタイトを含有していることから、優れた洗浄力や抗菌力、あるいは血行促進効果を有する。その上、機能性セラミックス、トルマリン、ハイドロキシアパタイトは無機粉末であることから、経時的な変化が少なく、長期間これらの効果が持続し、熱を加えてもこれら効果が低下することがほとんどない。
【００２８】
なお、この機能性セラミックス等は、ごく少量でも効果を発揮できることから、機能性セラミックス、トルマリン、ハイドロキシアパタイトの合計の含有量は０．５６重量％〜１．８重量％で十分である。上記３種類の無機粉末の含有量が０．５６重量％未満であると上記のような効果を十分に得ることができず、また１．８重量％以上を超えると合成高分子繊維の剛性が低下し、「こし」が弱くなってしまい、使用に耐えられなくなる。
【００２９】
【考案の効果】
本考案の歯ブラシによれば、長い先細毛の先端が歯間や歯と歯肉との間に入り込み、歯垢を除去することができる。また短毛により歯や歯肉の表面をこすり、歯の表面から歯垢を除去するとともに、歯肉を刺激して引き締めることができる。また、各房内で先細毛と短毛とがほぼ均一に混合しているため、歯や歯肉にほぼ均一に力を加えることができる。
【００３０】
また、ブラシ毛のうち短毛は、上述した特殊な方法で得られた機能性セラミックスやトルマリン、ハイドロキアパタイトを含有していることから、遠赤外線を放出し、水を活性化し、アルカリイオンを発生させ、優れた洗浄力や抗菌力、歯のエナメル質の補修能力、血行促進効果を有する。その上、機能性セラミックス、トルマリン、ハイドロキシアパタイトは無機粉末であることから、経時的な変化が少なく、長期間これらの効果が持続し、熱を加えてもこれら効果が低下することがほとんどない。
【図面の簡単な説明】
【図１】本考案の歯ブラシの形態例を示す斜視図である。
【図２】本考案の歯ブラシの形態例を示す側面図である。
【図３】本考案の歯ブラシの形態例を示す平面図である。
【図４】本考案の歯ブラシの要部拡大図である。
【符号の説明】
１　　　　　柄
２　　　　　ブラシ台
３　　　　　ブラシ毛
４　　　　　房
５　　　　　先細毛
６　　　　　短毛
１０　　　歯ブラシ
【図１】
0003097882.tif 000003
【図２】
0003097882.tif 000004
【図３】
0003097882.tif 000005
【図４】
0003097882.tif 000006